(57)【特許請求の範囲】
【請求項１】
建物の開口のある壁面部に、所定間隔で略平行に並べて配置された複数の棒状の目隠し体と、
前記複数の目隠し体の少なくとも一方の端部に当該目隠し体に対し略垂直に配置され、前記目隠し体の端部を支持する支持体と、を有し、
前記支持体は、光を反射する内面を有する筒状に形成され、その内部に光源を有し、
前記各目隠し体は、光を反射する内面を有する筒状に形成され、その内部が前記支持体の内部と連通し、前記各目隠し体の筒状部分における前記建物の壁面部と反対側の壁面には、前記支持体の光源からの光を出光する外向出光部が形成されている、目隠しルーバ。
【請求項２】
前記各目隠し体の建物内部側の壁面には、前記支持体の光源からの光を出光する内向出光部が形成されている、請求項１に記載の目隠しルーバ。
【請求項３】
前記目隠し体は、建物の窓面の外側に配置されている、請求項２に記載の目隠しルーバ。
【請求項４】
前記内向出光部は、前記外向出光部よりも幅広に形成されている、請求項３に記載の目隠しルーバ。
【請求項５】
前記各目隠し体の建物内部側の壁面は、前記建物外部側の壁面よりも幅広に形成されている、請求項１〜３のいずれかに記載の目隠しルーバ。
【請求項６】
前記外向出光部は、前記目隠し体の他の部分に比べて、前記目隠し体の外部から入射する光に対する反射率が高く設定されている、請求項１〜５のいずれかに記載の目隠しルーバ。
【請求項７】
前記各目隠し体の建物内部側の壁面には、他の部分よりも輝度が低い低輝度部が形成されている、請求項１〜６のいずれかに記載の目隠しルーバ。
【発明の詳細な説明】
【技術分野】
【０００１】
本発明は、目隠しルーバに関する。
【背景技術】
【０００２】
従来より、建物の外部から内部への視線を遮るため、建物の窓や戸口に目隠しルーバを設けることが知られている。特許文献１には、複数本の棒材を平行に並べて目隠し格子構造体を形成するルーバが提案されている。
【先行技術文献】
【特許文献】
【０００３】
【特許文献１】特開２００９−２６３９７５号公報
【発明の概要】
【発明が解決しようとする課題】
【０００４】
しかしながら、上述の目隠し格子構造体では、夜間、室内で照明を点灯し、建物の内部が外部よりも明るくなると、格子の隙間から建物の内部が見やすくなり、十分な目隠し効果が得られなくなる。
【０００５】
本発明はかかる点に鑑みてなされたものであり、夜間、建物の内部が明るい状態であっても十分な目隠し効果が得られる目隠しルーバを提供することをその目的とする。
【課題を解決するための手段】
【０００６】
上記目的を達成するための本発明は、建物の開口のある壁面部に、所定間隔で略平行に並べて配置された複数の棒状の目隠し体と、前記複数の目隠し体の少なくとも一方の端部に当該目隠し体に対し略垂直に配置され、前記目隠し体の端部を支持する支持体と、を有し、前記支持体は、光を反射する内面を有する筒状に形成され、その内部に光源を有し、前記各目隠し体は、光を反射する内面を有する筒状に形成され、その内部が前記支持体の内部と連通し、前記各目隠し体の筒状部分における前記建物の壁面部と反対側の壁面には、前記支持体の光源からの光を出光する外向出光部が形成されている目隠しルーバである。
【０００７】
本発明によれば、目隠し体の外向出光部から光を出光させることで、夜間、建物の内部が明るい状態であっても、建物の外部から内部が見えにくくなり、十分な目隠し効果が得られる。
【０００８】
前記各目隠し体の建物内部側の壁面には、前記支持体の光源からの光を出光する内向出光部が形成されていてもよい。かかる場合、建物の内部側に向かって光を出光できるので、目隠しルーバの光を建物の内部の補助的な照明として利用することができる。
【０００９】
また、前記目隠し体は、建物の窓面の外側に配置されていてもよい。かかる場合、目隠し体の内向出光部から出光された光が窓に反射する。この結果、建物の外部から内部がより見えにくくなり、目隠し効果がさらに向上する。
【００１０】
前記内向出光部は、前記外向出光部よりも幅広に形成されていてもよい。かかる場合、窓面に反射する光が多くなり、その結果、建物外部から内部がより見えにくくなる。
【００１１】
前記各目隠し体の建物内部側の壁面は、前記建物外部側の壁面よりも幅広に形成されていてもよい。かかる場合、建物の内部から外部は見えやすく、建物の外部から内部は見えにくくなり、外の景色が見えやすくなるうえに高い目隠し効果が得られる。
【００１２】
前記外向出光部は、前記目隠し体の他の部分に比べて、前記目隠し体の外部から入射する光に対する反射率が高く設定されていてもよい。かかる場合、目隠し体が太陽などの外部からの光を反射するので、日中の目隠し効果も向上する。
【００１３】
前記各目隠し体の建物内部側の壁面には、他の部分よりも輝度が低い低輝度部が形成されていてもよい。かかる場合、建物の内部から外部を見たときに、目隠し体が低輝度となり、目隠し体の隙間から外部が見やすくなる。
【発明の効果】
【００１４】
本発明によれば、昼夜問わず十分な目隠し効果が得られる。
【図面の簡単な説明】
【００１５】
【図１】目隠しルーバの構成の概略を示す説明図である。
【図２】目隠しルーバの横断面図である。
【図３】目隠しルーバの一部を正面から見た縦断面図である。
【図４】目隠しルーバを横から見た縦断面図である。
【図５】目隠し体の横断面図である。
【図６】内向出光部のある目隠しルーバの横断面図である。
【図７】内向出光部のある目隠しルーバを横から見た縦断面図である。
【図８】内向出光部のある目隠し体の横断面図である。
【図９】半円柱状の目隠し体の横断面図である。
【図１０】方形の目隠し体の横断面図である。
【発明を実施するための形態】
【００１６】
以下、図面を参照して、本発明の好ましい実施の形態について説明する。図１は、本実施の形態に係る目隠しルーバ１の構成の概略を示す説明図である。また、図２は、図１におけるＸ−Ｘ断面図を示す。なお、本明細書及び図面において、実質的に同一の機能構成を有する構成要素については、同一の符号を付することにより重複説明を省略する。
【００１７】
目隠しルーバ１は、建物の開口としての窓Ａのある壁面部Ｂに設けられている。目隠しルーバ１は、窓Ａの外側に設けられている。目隠しルーバ１は、鉛直方向に立てた状態で所定間隔で略平行に並べて配置された複数の目隠し体１０と、複数の目隠し体１０の上下端部に当該目隠し体１０に対し略垂直に配置され、目隠し体１０の端部を支持する支持体１１を有している。
【００１８】
支持体１１は、建物の壁面部Ｂに固定されている。支持体１１は、断面が方形の筒状に形成され、内部の両端に光源２０が設けられている。光源２０として、ＬＥＤが用いられる。光源２０は、支持体１１の軸方向に対し角度を付けて、支持体１１の側壁面に向けられる。図３及び図４に示すように支持体１１は、光の反射性の高い内面２１を有している。この光の反射性の高い内面２１は、光の反射性を高める塗装を施すことにより実現されてもよいし、支持体１１が光の反射性の高いアルミなどの材質により形成されることにより実現されてもよい。
【００１９】
目隠し体１０は、内部が中空の筒状に形成されている。目隠し体１０は、図２及び図５に示すように略台形の横断面を有し、当該断面形状において短辺１０ａが建物の外部Ｓ１側に、長辺１０ｂが建物の内部Ｓ２側に向けられている。図３に示すように目隠し体１０の内部は、支持体１１の内部に連通している。目隠し体１０は、支持体１１と同様に光の反射性の高い内面３０を有している。当該内面３０は、光の反射性を高める塗装を施すことにより実現されてもよいし、目隠し体１０が光の反射性の高いアルミなどの材質により形成されることにより実現されてもよい。
【００２０】
図１、図２及び図４に示すように目隠し体１０の建物外部Ｓ１側の壁面には、内部の光を外部に出光する外向出光部３１が形成されている。外向出光部３１は、上下方向に長い長方形状に形成されている。外向出光部３１は、光の拡散性の高い、乳白色のアクリル板によって形成されている。よって、図３に示すように支持体１１の端部の光源２０で発光した光は、支持体１１の内面２１を反射しながら進み、各目隠し体１０内に入射し、各目隠し体１０の内面３０を反射しながら進み、図２及び図４に示すように各目隠し体１０の外向出光部３１から建物外部Ｓ１側に出光する。
【００２１】
外向出光部３１は、目隠し体１０の他の部分に比べて、目隠し体１０の外部Ｓ１から入射する光に対する反射率が高く設定されている。具体的には、外向出光部３１の内表面が粗く、外向出光部３１の外表面が滑らかに形成されることにより、外部Ｓ１から入射する光の反射率が高くなっている。
【００２２】
図５に示すように各目隠し体１０の建物内部Ｓ２側、つまり長辺１０ｂ側の壁面には、低輝度部４０が形成されている。低輝度部４０は、目隠し体１０の建物内部Ｓ２側の外表面を粗く形成することにより実現されている。
【００２３】
以上のように構成された目隠しルーバ１では、昼間は、光源２０を発光させなくても、複数並べられた目隠し体１０により建物の外部Ｓ１から内部Ｓ２が見えにくくなる。また、目隠し体１０の外向出光部３１の光の反射率が高いため、太陽の光が外向出光部３１に反射して、建物の外部Ｓ１から内部Ｓ２がより見えにくくなる。
【００２４】
夜間は、光源２０を発光させ、その光が支持体１１及び目隠し体１０の内部を通って外向出光部３１から建物の外部Ｓ１側に向けて出光する。これにより、建物の外部Ｓ１から見ると、目隠し体１０が高輝度で光った状態になり、建物の内部Ｓ２で照明を点灯させていても、建物の外部Ｓ１から内部Ｓ２が見えにくくなる。
【００２５】
本実施の形態によれば、目隠し体１０の外向出光部３１から出光させることで、建物の外部Ｓ１から内部Ｓ２が見えにくくなり、夜間、建物の内部Ｓ２が明るい状態であっても、十分な目隠し効果が得られる。また、支持体１１と目隠し体１０を連通させ、支持体１１の光源２０の光を複数の目隠し体１０に入射させるので、光源２０の数が少なくなる。これにより、目隠しルーバ１のコストを低減でき、また光源２０の交換回数が減るのでメンテナンスも簡単になる。
【００２６】
また、本実施の形態では、各目隠し体１０の建物内部Ｓ２側の壁面が建物外部Ｓ１側の壁面よりも幅広に形成されているので、建物の内部Ｓ２から外部Ｓ１は見えやすく、建物の外部Ｓ１から内部Ｓ２は見えにくくなり、外の景色が見やすくなるうえに高い目隠し効果が得られる。
【００２７】
外向出光部３１は、目隠し体１０の他の部分に比べて、目隠し体１０の外部から入射する光に対する反射率が高く設定されているので、目隠し体１０が太陽などの外部Ｓ１からの光を反射し、日中の目隠し効果も向上できる。
【００２８】
各目隠し体１０の建物内部Ｓ２側の壁面には、低輝度部４０が形成されているので、建物の内部Ｓ２から外部Ｓ１を見たときに、目隠し体１０が低輝度となり、目隠し体１０の隙間から外部Ｓ１が見えやすくなる。
【００２９】
以上の実施の形態において、図６〜図８に示すように各目隠し体１０の建物内部Ｓ２側の壁面、つまり長辺１０ｂ側の壁面にも、支持体１１の光源２０からの光を出光する内向出光部６０が設けられていてもよい。かかる場合、内向出光部６０は、上記外向出光部３１と同様に、上下方向に長い長方形状に形成されている。内向出光部６０は、光の拡散性の高い、乳白色のアクリル板によって形成されている。よって、支持体１１の端部の光源２０で発光した光は、支持体１１の内面２１を反射しながら進み、各目隠し体１０内に入射し、各目隠し体１０の内面３０を反射しながら進み、各目隠し体１０の内向出光部６０から建物の内部Ｓ２側に出光される。図６に示すように内向出光部６０から出光した光は、一部が窓Ａを透過して建物の内部Ｓ２側に進み、一部が窓Ａで反射して目隠し体１０の隙間を通って建物の外部Ｓ１側に進む。
【００３０】
図８に示すように内向出光部６０は、外向出光部３１よりも幅広に形成されている。また、この場合、低輝度部４０は、内向出光部６０の両側に形成されている。
【００３１】
かかる例によれば、内向出光部６０から建物の内部Ｓ２側に出光するので、目隠しルーバ１の光を建物の内部Ｓ２の補助的な照明として利用することができる。
【００３２】
また、目隠し体１０が建物の窓面の外側に配置されているので、目隠し体１０の内向出光部６０から出光された光が窓Ａに反射する。この結果、建物の外部Ｓ１から内部Ｓ２がより見えにくくなり、目隠し効果がさらに向上する。
【００３３】
内向出光部６０が外向出光部３１よりも幅広に形成されているので、窓Ａに反射する光が多くなり、その結果、建物の外部Ｓ１から内部Ｓ２がより見えにくくなる。
【００３４】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００３５】
目隠し体１０は、横断面形状が略台形であったが、他の形状であってもよい。例えば図９に示すように半円柱状であってもよいし、図１０に示すように建物の外部Ｓ１側と建物内部Ｓ２側の幅が同じ方形状であってもよい。
【００３６】
また、外向出光部３１及び内向出光部６０の形状は、長方形状に限られず他の形状であってもよい。外向出光部３１及び内向出光部６０は、目隠し体１０に沿った一続きのものであったが、目隠し体１０に沿って断続的に形成されていてもよい。
【００３７】
支持体１１は、目隠し体１０の上下の端部にそれぞれ設けられていたが片側の端部にだけ設けられていてもよい。また光源２０は、支持体１１の両端に設けられていたが、片側の端部にだけ設けられていてもよい。また、光源２０は、支持体１１の端に限られず、例えば中央にあってもよい。
【００３８】
また、目隠しルーバ１は、複数の目隠し体１０が水平で支持体１０が垂直のものであってもよい。目隠しルーバ１は、窓Ａの内側にあってもよい。目隠しルーバ１は、戸口などの窓以外の開口に設けられていてもよい。
【産業上の利用可能性】
【００３９】
本発明は、夜間であっても十分な目隠し効果が得られる目隠しルーバを実現する際に有用である。
【符号の説明】
【００４０】
１  目隠しルーバ
１０  目隠し体
１１  支持体
２０  光源
２１  内面
３０  内面
３１  外向出光部
６０  内向出光部
Ａ  窓
Ｂ  側壁部
Ｓ１  建物の外部
Ｓ２  建物の内部
【図１】
0006034052.tif 000002
【図２】
0006034052.tif 000003
【図３】
0006034052.tif 000004
【図４】
0006034052.tif 000005
【図５】
0006034052.tif 000006
【図６】
0006034052.tif 000007
【図７】
0006034052.tif 000008
【図８】
0006034052.tif 000009
【図９】
0006034052.tif 000010
【図１０】
0006034052.tif 000011